(57)【要約】      （修正有）【課題】電球が天井から斜め下方向に取り付けられていたり、壁から斜め下方向や水平方向に取り付けられている場合にも、遠隔操作により、電球を保持し、その電球を回転することができる電球交換具を提供する。【解決手段】長尺の操作杆１と、この操作杆１の上端に設けられる電球の保持部材２とから構成され、操作杆１の上端部に弾性変形自在とした角度調節部材３を介在させ、この角度調節部材３の上方位置に引き線４を取り付ける。【選択図】図４
0003177434.tif 000002
【実用新案登録請求の範囲】
【請求項１】
長尺の操作杆（１）と、この操作杆（１）の上端に設けられる電球（Ｂ）の保持部材（２）とから構成され、前記操作杆（１）の上端部に弾性変形自在とした角度調節部材（３）を介在させ、この角度調節部材（３）の上方位置に引き線（４）を取り付けたことを特徴とする電球交換具。
【請求項２】
長尺の操作杆（１）と、この操作杆（１）の上端に設けられる電球（Ｂ）の保持部材（２）とから構成され、前記操作杆（１）の上端部に弾性変形自在とした角度調節部材（３）を介在させ、この角度調節部材（３）の上方位置に引き線（４）を取り付けたリング部材（５）を遊嵌したことを特徴とする電球交換具。
【請求項３】
前記操作杆（１）の上端を管状体（１Ａ）として構成し、この管状体（１Ａ）に外嵌合される管状支持体（６）を前記保持部材（２）の下端に連結したものとし、さらに管状体（１Ａ）を上管体（１０ａ）と下管体（１０ｂ）と上連結管体（１０ｃ）に分割し、前記管状体（１Ａ）の上連結管体（１０ｃ）の側面に、孔（７）を設けると共に、この孔（７）から出没自在とした突起（８）を設け、前記管状支持体（６）の側面には、上連結管体（１０ｃ）に外嵌合したときに、この上連結管体（１０ｃ）の孔（７）に対応する孔（９）を設けたことを特徴とする請求項１又は２記載の電球交換具。
【請求項４】
前記操作杆（１）の上端を管状体（１Ａ）として構成し、この管状体（１Ａ）に外嵌合される管状支持体（６）を前記保持部材（２）の下端に連結したものとし、さらに管状体（１Ａ）を上管体（１０ａ）と下管体（１０ｂ）に分割し、前記管状体（１Ａ）の上管体（１０ａ）の側面に、対向するようにして二つの孔（７）を設けると共に、これらの孔（７）から出没自在とした突起（８）を設け、前記管状支持体（６）の側面には、上管体（１０ａ）に外嵌合したときに、この上管体（１０ａ）の一方の孔（７）に対応する孔（９）を設けたことを特徴とする請求項１又は２記載の電球交換具。
【請求項５】
前記角度調節部材（３）をコイルスプリングとし、このコイルスプリングの上端部を前記上管体（１０ａ）の下端部に固着し、このコイルスプリングの下端部を前記下管体（１０ｂ）の上端部に固着したことを特徴とする請求項３又は４記載の電球交換具。
【請求項６】
前記角度調節部材（３）をゴム又は軟質合成樹脂とし、このゴム又は軟質合成樹脂の上端部を前記上管体（１０ａ）の下端部に固着し、このゴム又は軟質合成樹脂の下端部を前記下管体（１０ｂ）の上端部に固着したことを特徴とする請求項３又は４記載の電球交換具。
【考案の詳細な説明】
【技術分野】
【０００１】
この考案は、天井などの高所に取り付けられた電球の交換に用いる電球交換器具に関するものである。
【背景技術】
【０００２】
従来、この種の電球交換具としては、例えば図８に示したように、長い竿などとした操作杆２１と、この操作杆２１の上端に設けられる弾性部材からなる電球Ｂの挟み部２２を有した保持部材２３とから構成されたものなどとしている（特許文献１、特許文献２、非特許文献１）。
【０００３】
この電球交換具は、操作杆２１の下部を手で握り、保持部材２３を高い天井などに取り付けられた電球Ｂの真下に近付け、この電球Ｂを挟み部２２により挟み込む。次に、操作杆２１を回転させて、この電球Ｂを天井などから外し、手元に引き寄せ、挟み部２２から取り去る。そして、新しい電球Ｂをその挟み部２２に挟み込み、天井などの元の位置に戻し、再び操作杆２１を回転させながら、この新しい電球Ｂを天井などの元に位置に取り付けるようにしている（図９参照）。
【先行技術文献】
【特許文献】
【０００４】
【特許文献１】特開平７−１４５５９号公報
【特許文献２】特開平１０−２７５８３号公報
【非特許文献１】ジェフコム株式会社の総合カタログ２０１１〜１２ Vol.21 総合版のＣ−０５８ページ
【考案の概要】
【考案が解決しようとする課題】
【０００５】
上記従来の電球交換具では、電球Ｂが天井などから真下に向かって取り付けられている場合には、電球Ｂの真下に保持部材２３を近付ければ、その電球Ｂと保持部材２３の挟み部２２が一直線状となり、電球Ｂに挟み部２２を押し込めば、その電球Ｂを挟み込み、保持して回転することができる。
【０００６】
しかしながら、上記従来の電球交換具では、電球Ｂが天井から斜め下方向に取り付けられていたり、壁から斜め下方向や水平方向に取り付けられている場合には、電球Ｂの真下に保持部材２３を近付けても、その電球Ｂと保持部材２３の挟み部２２が一直線状となららず、角度がついた状態となり、電球Ｂに保持部材２３の挟み部２２を押し込むことができず、その電球Ｂを保持して回転することができないという問題点を有していた。
【０００７】
そこで、この考案は、電球Ｂが天井から斜め下方向に取り付けられていたり、壁から斜め下方向や水平方向に取り付けられている場合にも、遠隔操作により、電球Ｂが取り付けられている角度に合わせて、保持部材の角度を自由に調節できるものとし、その調節した角度のまま電球Ｂに保持部材２３の挟み部２２を押し込んで、電球Ｂを保持し、その電球を回転することができる電球交換具を提供することを目的としてなされたものである。
【課題を解決するための手段】
【０００８】
そのため、この考案の電球交換具は、長尺の操作杆１と、この操作杆１の上端に設けられる電球Ｂの保持部材２とから構成され、前記操作杆１の上端部に弾性変形自在とした角度調節部材３を介在させ、この角度調節部材３の上方位置に引き線４を取り付けたものとしている。
【０００９】
さらに、この考案の電球交換具は、長尺の操作杆１と、この操作杆１の上端に設けられる電球Ｂの保持部材２とから構成され、前記操作杆１の上端部に弾性変形自在とした角度調節部材３を介在させ、この角度調節部材３の上方位置に引き線４を取り付けたリング部材５を遊嵌したものとしている。
【００１０】
そして、この考案の電球交換具は、前記操作杆１の上端を管状体１Ａとして構成し、この管状体１Ａに外嵌合される管状支持体６を前記保持部材２の下端に連結したものとし、さらに管状体１Ａを上管体１０ａと下管体１０ｂと上連結管体１０ｃに分割し、前記管状体１Ａの上連結管体１０ｃの側面に、孔７を設けると共に、この孔７から出没自在とした突起８を設け、前記管状支持体６の側面には、上連結管体１０ｃに外嵌合したときに、この上連結管体１０ｃの孔７に対応する孔９を設けたものとしている。
【００１１】
さらに、この考案の電球交換具は、前記操作杆１の上端を管状体１Ａとして構成し、この管状体１Ａに外嵌合される管状支持体６を前記保持部材２の下端に連結したものとし、さらに管状体１Ａを上管体１０ａと下管体１０ｂに分割し、前記管状体１Ａの上管体１０ａの側面に、対向するようにして二つの孔７を設けると共に、これらの孔７から出没自在とした突起８を設け、前記管状支持体６の側面には、上管体１０ａに外嵌合したときに、この上管体１０ａの一方の孔７に対応する孔９を設けたものとしている。
【００１２】
また、この考案の電球交換具は、前記角度調節部材３をコイルスプリングとし、このコイルスプリングの上端部を前記上管体１０ａの下端部に固着し、このコイルスプリングの下端部を前記下管体１０ｂの上端部に固着したものとしている。
【００１３】
さらに、この考案の電球交換具は、前記角度調節部材３をゴム又は軟質合成樹脂とし、このゴム又は軟質合成樹脂の上端部を前記上管体１０ａの下端部に固着し、このゴム又は軟質合成樹脂の下端部を前記下管体１０ｂの上端部に固着したものとしている。
【考案の効果】
【００１４】
この考案の電球交換具は、以上に述べたように構成されており、電球Ｂが天井から斜め下方向に取り付けられていたり、壁から斜め下方向や水平方向に取り付けられている場合にも、遠隔操作により、電球Ｂが取り付けられている角度に合わせて、保持部材の角度を自由に調節できるものとし、その調節した角度のまま電球Ｂに保持部材２３の挟み部２２を押し込んで、電球Ｂを保持し、その電球を回転することができるものとなったので、前記したように天井や壁に取り付けられている場合の電球Ｂの交換も簡単に行えるものとなった。
【図面の簡単な説明】
【００１５】
【図１】この考案の電球交換具の一実施形態を示す斜視図である。
【図２】図１に示すこの考案の電球交換具の断面図である。
【図３】図１に示すこの考案の電球交換具の操作杆の上部の断面図である。
【図４】この考案の電球交換具の他の実施形態を示す斜視図である。
【図５】図４に示すこの考案の電球交換具の断面図である。
【図６】図４に示すこの考案の電球交換具の操作杆の上部の断面図である。
【図７】図１に示すこの考案の電球交換具の使用状態を示す説明図である。
【図８】従来の電球交換具の正面図である。
【図９】従来の電球交換具の使用状態を示す説明図である。
【考案を実施するための形態】
【００１６】
以下、この考案の電球交換具を実施するための形態を、図面に基づいて詳細に説明する。
【００１７】
この考案の電球交換具は、図１〜６に示したように、長尺の操作杆１と、この操作杆１の上端に設けられる電球Ｂの保持部材２とから構成されている。
【００１８】
前記操作杆１の上端部には、弾性変形自在とした角度調節部材３を介在させ、この角度調節部材３の上方位置に、引き線４を取り付けたリング部材５を遊嵌したものとしている。
【００１９】
なお、図示していないが、前記引き線４は、角度調節部材３の上方位置に直接、取り付けたものとしてもよい。
【００２０】
前記操作杆１は、上端を管状体１Ａとして構成し、この管状体１Ａに外嵌合される管状支持体６を前記保持部材２の下端に連結したものとしている。さらに、管状体１Ａは、図１〜３に示したものでは、上管体１０ａと下管体１０ｂと上連結管体１０ｃに分割しており、図４〜６に示したものでは、上管体１０ａと下管体１０ｂに分割している。なお、前記操作杆１は、管体や棒体などから構成されるが、棒体から構成される場合は、この棒体の上端に前記管状体１Ａを継ぎ足したものとしている。
【００２１】
図１〜３に示したものでは、前記管状体１Ａの上連結管体１０ｃの側面には、孔７を設けると共に、この孔７から出没自在とした突起８を設け、前記管状支持体６の側面には、上連結管体１０ｃに外嵌合したときに、この上連結管体１０ｃの孔７に対応する孔９を設けたものとしている。この場合、孔７から突起８を出没自在とするには、折り曲げた板バネ１１の両端に前記突起８を取り付け、上連結管体１０ｃの上端からこの板バネ１１を上連結管体１０ｃ内に差し込み、一方の突起８を孔７に入り込むようにし、他方の突起８を孔７に対向する上連結管体１０ｃの壁面に当接するようにすればよい。なお、前記突起８を板バネ１１の両端に設けたものとしたのは、この両端の突起８が上連結管体１０ｃの壁に沿って滑るようにして、板バネ１１を上連結管体１０ｃ内に差し込み易くするためである。
【００２２】
図４〜６に示したものでは、前記管状体１Ａの上管体１０ａの側面には、対向するようにして二つの孔７を設けると共に、これらの孔７から出没自在とした突起８を設け、前記管状支持体６の側面には、上管体１０ａに外嵌合したときに、この上管体１０ａの一方の孔７に対応する孔９を設けたものとしている。この場合、孔７から突起８を出没自在とするには、折り曲げた板バネ１１の両端に前記突起８を取り付け、上管体１０ａの上端からこの板バネ１１を上管体１０ａ内に差し込み、一方の突起８を一方の孔７に入り込むようにし、他方の突起８を他方の孔７に入り込むようにすればよい。なお、前記突起８を板バネ１１の両端に設けたものとしたのは、この両端の突起８が上管体１０ａの壁に沿って滑るようにして、板バネ１１を上管体１０ａ内に差し込み易くするためである。
【００２３】
前記保持部材２には、電球Ｂの側面に沿うようにした複数の弾性挟み片２ａを備えたものとしている。なお、前記保持部材２は、複数の弾性挟み片２ａを備えたものとすることなく、吸盤（図示せず）を備えたものなどにすることもできる。
【００２４】
前記角度調節部材３は、図１〜３に示したものでは、コイルスプリングとしており、このコイルスプリングの上端部を前記上管体１０ａの下端部に固着し、このコイルスプリングの下端部を前記下管体１０ｂの上端部に固着したものとしている。なお、前記コイルスプリングの上下端部を上下管体１０ａ、１０ｂに固着したものとするには、図２、３に示したように、コイルスプリングの上下端部を上下管体１０ａ、１０ｂに嵌合し、その嵌合した部分の上下管体１０ａ、１０ｂをかしめ加工等すればよい。
【００２５】
さらに、前記角度調節部材３は、図４〜６に示したものでは、ゴム又は軟質合成樹脂としており、このゴム又は軟質合成樹脂の上端部を前記上管体１０ａの下端部に固着し、このゴム又は軟質合成樹脂の下端部を前記下管体１０ｂの上端部に固着したものとしている。なお、前記ゴム又は軟質合成樹脂の上下端部を上下管体１０ａ、１０ｂに固着したものとするには、図５、６に示したように、ゴム又は軟質合成樹脂の上下端部を上下管体１０ａ、１０ｂに嵌合し、上下管体１０ａ、１０ｂにそれぞれ設けた内フランジＦｉにねじ止め等すればよい。
【００２６】
前記引き線４は、紐やロープなどとしており、リング部材５の一端に取り付けられており、使用時には容易に引き伸ばすことができ、不使用時には巻いたり、束ねたりしておけるものとしている。また、前記引き線４としては、紐やロープなどと比べれば引き伸ばしたり、巻いたり、束ねたりし難いが、ピアノ線や針金などとすることもできる。
【００２７】
前記リング部材５は、中心に孔を形成した円形の板状体とし、図１〜３に示したものでは、その孔に前記操作杆１の管状体１Ａの上連結管体１０ｃを遊嵌し、上管体１０ａの上端で支持したものとしており、図４〜６に示したものでは、その孔に前記操作杆１の管状体１Ａの上管体１０ａを遊嵌し、この上管体１０ａに設けた外フランジＦｏで支持したものとしている。また、前記リング部材５の一端には、引き線４の取付孔１２を設けたものとしている。なお、前記リング部材５は、板状体に限らず、線状体などにすることもできる。
【００２８】
以上のように構成したこの考案の電球交換具を用いて、天井などに取り付けられた電球の交換を行うには、次のようにして行う。
【００２９】
先ず、図示していないが、電球Ｂが天井などから真下に向かって取り付けられている場合には、操作杆１の下部を手で握り、保持部材２を電球Ｂの真下に近付け、この保持部材２に電球Ｂを挟み込んだり、吸着する。
【００３０】
そこで、操作杆１を回転させて、その電球Ｂを天井などから外し、手元に引き寄せ、保持部材２から取り去る。
【００３１】
そして、新しい電球Ｂをその保持部材２に保持させ、天井などの元の位置に戻し、再び操作杆１を回転させれば、この新しい電球Ｂを天井などの元に位置に取り付けることができる。
【００３２】
次に、図７に示したように、電球Ｂが天井から斜め下方向に取り付けられていたり、壁から斜め下方向や水平方向に取り付けられている場合には、操作杆１の下部を手で握り、保持部材２を電球Ｂの真下に近付ける。
【００３３】
そこで、引き線４を手元に引き寄せ、この引き線４でリング部材５の一端を下方向に引っ張り、角度調節部材３を曲げて保持部材２の角度を、斜め下方向や水平方向に取り付けられた電球Ｂの角度に合わせる。この場合、リング部材５は、操作杆１の上端部に遊嵌されているので、操作杆１の周囲でこのリング部材５を廻せば、引き線４を取り付けたリング部材５の一端を、角度調節部材３を曲げる方向に容易に合わせておくことができる。
【００３４】
すると、電球Ｂと保持部材２が一直線状となるので、電球Ｂに保持部材２を押し込んだり、押し当てれば、その電球Ｂを挟み込んだり、吸着することができる。
【００３５】
そこで、操作杆１を回転させて、その電球Ｂを天井などから外し、手元に引き寄せ、保持部材２から取り去る。
【００３６】
そして、新しい電球Ｂをその保持部材２に保持させ、天井などの元の位置に戻し、再び引き線４でリング部材５の一端を下方向に引っ張り、角度調節部材３を曲げて保持部材２の角度を、その電球Ｂの取付部の角度に合わせ、操作杆１を回転させれば、この新しい電球Ｂを天井などの元に位置に取り付けることができる。
【００３７】
以上に述べたように、この考案の電球交換具は、電球Ｂが天井から斜め下方向に取り付けられていたり、壁から斜め下方向や水平方向に取り付けられている場合にも、引き線４の遠隔操作により、電球Ｂが取り付けられている角度に合わせて、保持部材２の角度を自由に調節できるので、その調節した角度のまま電球Ｂに保持部材２３の挟み部２２を押し込んだり、押し当てて、電球Ｂを保持し、その電球を回転することができる。
【００３８】
したがって、この考案の電球交換具は、このように電球Ｂが天井や壁などから電球Ｂが天井から斜め下方向に取り付けられていたり、壁から斜め下方向や水平方向に取り付けられている場合にも、電球Ｂの交換が簡単に行えるものとなる。
【符号の説明】
【００３９】
１  操作杆
１Ａ  管状体
２  保持部材
３  角度調節部材
４  引き線
５  リング部材
６  管状支持体
７  孔
８  突起
９  孔
１０ａ  上管体
１０ｂ  下管体
１０ｃ  上連結管体
Ｂ  電球
【図１】
0003177434.tif 000003
【図２】
0003177434.tif 000004
【図３】
0003177434.tif 000005
【図４】
0003177434.tif 000006
【図５】
0003177434.tif 000007
【図６】
0003177434.tif 000008
【図７】
0003177434.tif 000009
【図８】
0003177434.tif 000010
【図９】
0003177434.tif 000011